(57)【要約】      （修正有）【課題】歩留まりを向上させることができる液状物吸引装置を提供する。【解決手段】液状物吸引装置１は、液状物が充填されている液状物充填袋が収納されているドラム缶２と、ドラム缶２の上方から挿入され、液状物充填袋の内周面に対して加水液を噴射すると共に、該加水液によって加水された液状物を吸引する吸引加水機構６と、吸引加水機構６を昇降動作させる昇降機構５と、を有してなる。吸引加水機構６は、加水液が鉛直下向きに供給される垂直供給管６１と、垂直供給管６１の内側に配置され、液状物を鉛直上向きに吸引する垂直吸引管６０と、を有してなる。【選択図】図１
2020147317.tif 000002
【特許請求の範囲】
【請求項１】
液状物が充填されている液状物充填袋が収納されているドラム缶と、
前記ドラム缶の上方から挿入され、前記液状物充填袋の内周面に対して加水液を噴射すると共に、該加水液によって加水された前記液状物を吸引する吸引加水手段と、
前記吸引加水手段を昇降動作させる昇降手段と、を有してなる液状物吸引装置。
【請求項２】
前記吸引加水手段は、
前記加水液が鉛直下向きに供給される垂直供給管と、
前記垂直供給管の内側に配置され、前記液状物を鉛直上向きに吸引する垂直吸引管と、を有してなる請求項１に記載の液状物吸引装置。
【請求項３】
前記液状物充填袋の上縁部を支持し、前記ドラム缶の上部に着脱自在に配置される支持部材と、
前記支持部材を鉛直上向きに持ち上げる持ち上げ手段と、をさらに有し、
前記昇降手段は、前記持ち上げ手段によって、前記支持部材が持ち上げられると、前記吸引加水手段を降下させ、
前記吸引加水手段は、前記持ち上げ手段によって、前記支持部材が持ち上げられることによって共に持ち上げられる前記液状物充填袋の内周面に対して加水液を噴射すると共に、該加水液によって加水された前記液状物を吸引してなる請求項１又は２に記載の液状物吸引装置。
【請求項４】
前記垂直供給管及び前記垂直吸引管の下部に固定配置可能であると共に、洗浄液を供給可能な洗浄液供給部材をさらに有し、
前記垂直吸引管は、前記洗浄液供給部材に前記洗浄液が供給されると、該洗浄液を鉛直上向きに吸引してなる請求項２又は３に記載の液状物吸引装置。
【請求項５】
液状物が充填されている液状物充填袋が収納されているドラム缶の上方から昇降手段によって降下された吸引加水手段が挿入され、
前記吸引加水手段によって、前記液状物充填袋の内周面に対して加水液が噴射されると共に、該加水液によって加水された前記液状物が吸引されてなる液状物吸引方法。
【発明の詳細な説明】
【技術分野】
【０００１】
本発明は、ドラム缶に収納されている液状物充填袋に充填されている液状物を自動的に抜き取る液状物吸引装置及びその方法に関する。
【背景技術】
【０００２】
従来、ドラム缶に収納されている液状物充填袋に充填されている液状物を吸引するにあたっては、ハンドロータリーポンプ、手動式ピストンポンプ、エアープレッシャーポンプ等に直結した直管状の吸引管を作業者が液状物充填袋に挿入し、ポンプの駆動によって、液状物充填袋内の液状物を吸い上げてホースを通してタンク等へ送る可搬式吸引機が知られている（例えば、非特許文献１，２参照）。
【先行技術文献】
【非特許文献】
【０００３】
【非特許文献１】インターネット・ウエブ・楽天市場・２ページ目ぽんぷやさん＞ドラム缶用ポンプ：ぽんぷやさん，検索日：2019年2月19日、http//www.item.rakuten.co.jp/ponpu/c/0000000148/?p=2&s=1#risFil
【非特許文献２】インターネット・ウエブ・エアー式ドラム缶ポンプ/M472LH-200B/測定/包装/物流/専門，検索日：2019年2月19日、https://www.webshiro.com/syouhinsetumei2/M472LH-200B.html
【発明の概要】
【発明が解決しようとする課題】
【０００４】
しかしながら、上記のような可搬式吸引機を用いた方法では、液状物充填袋の内周面に付着している液状物を吸引することができず、もって、歩留まりが悪いという問題があった。
【０００５】
そこで、本発明は、上記問題に鑑み、歩留まりを向上させることができる液状物吸引装置及びその方法を提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１の発明によれば、液状物（Ｌ１）が充填されている液状物充填袋（Ｆ）が収納されているドラム缶（２）と、
前記ドラム缶（２）の上方から挿入され、前記液状物充填袋（Ｆ）の内周面に対して加水液を噴射すると共に、該加水液によって加水された前記液状物（Ｌ１）を吸引する吸引加水手段（吸引加水機構６）と、
前記吸引加水手段（吸引加水機構６）を昇降動作させる昇降手段（昇降機構５）と、を有してなることを特徴としている。
【０００８】
また、請求項２の発明によれば、上記請求項１に記載の液状物吸引装置において、前記吸引加水手段（吸引加水機構６）は、前記加水液が鉛直下向きに供給される垂直供給管（６１）と、
前記垂直供給管（６１）の内側に配置され、前記液状物（Ｌ１）を鉛直上向きに吸引する垂直吸引管（６０）と、を有してなることを特徴としている。
【０００９】
さらに、請求項３の発明によれば、上記請求項１又は２に記載の液状物吸引装置において、前記液状物充填袋（Ｆ）の上縁部（Ｆａ）を支持し、前記ドラム缶（２）の上部に着脱自在に配置される支持部材（３）と、
前記支持部材（３）を鉛直上向きに持ち上げる持ち上げ手段（持ち上げ機構７）と、をさらに有し、
前記昇降手段（昇降機構５）は、前記持ち上げ手段（持ち上げ機構７）によって、前記支持部材（３）が持ち上げられると、前記吸引加水手段（吸引加水機構６）を降下させ、
前記吸引加水手段（吸引加水機構６）は、前記持ち上げ手段（持ち上げ機構７）によって、前記支持部材（３）が持ち上げられることによって共に持ち上げられる前記液状物充填袋（Ｆ）の内周面に対して加水液を噴射すると共に、該加水液によって加水された前記液状物（Ｌ１）を吸引してなることを特徴としている。
【００１０】
そしてさらに、請求項４の発明によれば、上記請求項２又は３に記載の液状物吸引装置において、前記垂直供給管（６１）及び前記垂直吸引管（６０）の下部に固定配置可能であると共に、洗浄液を供給可能な洗浄液供給部材（８）をさらに有し、
前記垂直吸引管（６０）は、前記洗浄液供給部材（８）に前記洗浄液が供給されると、該洗浄液を鉛直上向きに吸引してなることを特徴としている。
【００１１】
一方、請求項５の発明によれば、液状物（Ｌ１）が充填されている液状物充填袋（Ｆ）が収納されているドラム缶（２）の上方から昇降手段（昇降機構５）によって降下された吸引加水手段（吸引加水機構６）が挿入され（図７（ｃ）〜（ｄ）参照）、
前記吸引加水手段（吸引加水機構６）によって、前記液状物充填袋（Ｆ）の内周面に対して加水液が噴射されると共に、該加水液によって加水された前記液状物（Ｌ１）が吸引されてなる（図７（ｃ）〜（ｄ）参照）ことを特徴としている。
【発明の効果】
【００１２】
次に、本発明の効果について、図面の参照符号を付して説明する。なお、括弧内は、後述する実施形態の参照符号を付したものであるが、本発明はこれに限定されるものではない。
【００１３】
請求項１及び５に係る発明によれば、液状物（Ｌ１）が充填されている液状物充填袋（Ｆ）が収納されているドラム缶（２）の上方から、昇降手段（昇降機構５）によって、吸引加水手段（吸引加水機構６）が挿入され、そして、その挿入された吸引加水手段（吸引加水機構６）によって、液状物充填袋（Ｆ）の内周面に対して加水液を噴射すると共に、その加水液によって加水された液状物（Ｌ１）を吸引するようにしている。これにより、液状物充填袋（Ｆ）の内周面は、加水液によって洗い流され、その洗い流された加水液は、液状物（Ｌ１）に加水されることとなる。
【００１４】
しかして、本発明によれば、液状物充填袋（Ｆ）の内周面に付着している液状物（Ｌ１）も吸引することができることとなるから、歩留まりを向上させることができる。
【００１５】
また、請求項２に係る発明によれば、吸引加水手段（吸引加水機構６）は、加水液が鉛直下向きに供給される垂直供給管（６１）と、垂直供給管（６１）の内側に配置され、液状物（Ｌ１）を鉛直上向きに吸引する垂直吸引管（６０）と、を有する２重管の構成になっているから、非常に簡便な構成となっている。
【００１６】
さらに、請求項３に係る発明によれば、持ち上げ手段（持ち上げ機構７）によって、支持部材（３）が持ち上げられると、昇降手段（昇降機構５）によって、吸引加水手段（吸引加水機構６）を降下させ、その吸引加水手段（吸引加水機構６）が、持ち上げ手段（持ち上げ機構７）によって、支持部材（３）が持ち上げられることによって共に持ち上げられる液状物充填袋（Ｆ）の内周面に対して加水液を噴射すると共に、その加水液によって加水された液状物（Ｌ１）を吸引するようにしている。これにより、側周面がピンと張った状態（緊張状態）の液状物充填袋（Ｆ）の内周面を加水液によってより洗い流すこととなるから、液状物充填袋（Ｆ）の内周面を洗い流し易くなり、もって、歩留まりをさらに向上させることができる。
【００１７】
そしてさらに、請求項４に係る発明によれば、垂直供給管（６１）及び垂直吸引管（６０）の下部に洗浄液を供給可能な洗浄液供給部材（８）が固定配置され、垂直吸引管（６０）は、洗浄液供給部材（８）に洗浄液が供給されると、該洗浄液を鉛直上向きに吸引するようにしている。これにより、ＣＩＰ洗浄が可能となる。
【図面の簡単な説明】
【００１８】
【図１】本発明の一実施形態に係る液状物吸引装置を示す一部縦断側面図である。
【図２】（ａ）は、同実施形態に係るドラム缶に支持部材が配置されている状態を示す正面図、（ｂ）は、同実施形態に係るドラム缶に支持部材が配置されている状態の要部を示す断面図である。
【図３】同実施形態に係る液状物吸引装置の位置決め機構を上部側から見た状態を示す平面図である。
【図４】同実施形態に係る液状物吸引装置の昇降機構を正面側から見た状態を示す縦断正面図である。
【図５】（ａ）は、同実施形態に係る吸引加水機構を示す一部縦断側面図、（ｂ）は、同実施形態に係る吸引加水機構を示す一部縦断正面図、（ｃ）は、同実施形態に係る垂直供給管の下部を囲む丸破線部分を拡大した拡大縦断側面図、（ｄ）は、同実施形態に係る垂直吸引管の下部を囲む丸破線部分を拡大し、開閉弁が開放されている状態を示す拡大縦断側面図である。
【図６】同実施形態に係る液状物吸引装置の持ち上げ機構を上面側から見た状態を示す平面図である。
【図７】（ａ）〜（ｆ）は、同実施形態に係る液状物吸引装置の一使用例を示すために模式的に示した説明図である。
【図８】同実施形態に係る吸引加水機構に洗浄液供給部材を取付けた状態を示す一部縦断側面図である。
【発明を実施するための形態】
【００１９】
以下、本発明に係る液状物吸引装置の一実施形態を、図面を参照して具体的に説明する。なお、以下の説明において、上下左右の方向を示す場合は、図示正面から見た場合の上下左右をいうものとする。
【００２０】
図１に示すように、液状物吸引装置１は、ドラム缶２と、ドラム缶２の上部に着脱自在に配置される支持部材３と、ドラム缶２を所望位置に位置決めする位置決め機構４と、昇降機構５と、昇降機構５によって昇降動作される吸引加水機構６と、支持部材３を持ち上げる持ち上げ機構７と、で構成されている。以下、各構成について詳しく説明することとする。
【００２１】
＜ドラム缶の説明＞
ドラム缶２は、図２に示すように、円筒状をなし、上端開口部２０ａ（図２（ｂ）参照）を有する中空の胴体２０と、この胴体２０の下端開口を閉塞する地板２１と、を有するオープンドラム缶からなるものである。このドラム缶２の胴体２０内には、図２（ｂ）に示すように、液状物充填袋Ｆが収納されており、この液状物充填袋Ｆには、ケチャップ、濃縮ジュース等粘性の高い液状物Ｌ１が充填されている。
【００２２】
＜支持部材の説明＞
一方、支持部材３は、図２（ｂ）に示すように、液状物充填袋Ｆの上縁部Ｆａを支持可能な支持部材本体３０と、支持部材本体３０の外周をクランプするクランプバンド３１とで構成されている。この支持部材本体３０は、図２（ｂ）に示すように、中央に開口部３０Ａａを有する断面視矩形状の第１載置板３０Ａと、中央に開口部３０Ｂａを有する断面視矩形状の一対の第２載置板３０Ｂと、第１載置板３０Ａと一対の第２載置板３０Ｂを接続する複数のスペーサ３０Ｃ（図示では、２個）とで構成されている。この第１載置板３０Ａは、図２（ｂ）に示すように、ドラム缶２の胴体２０よりも若干径大に形成され、中央の開口部３０Ａａが胴体２０の上端開口部２０ａよりも若干径小に形成され、胴体２０の上端に着脱自在に載置されるようになっている。そして、一対の第２載置板３０Ｂは、ドラム缶２の胴体２０と略同径に形成され、中央の開口部３０Ｂａが、第１載置板３０Ａの開口部３０Ａａと略同径に形成され、開口部３０Ｂａの縁部側に設けられた複数のスペーサ３０Ｃ（図示では、２個）によって、第１載置板３０Ａと接続されている。これにより、第１載置板３０Ａと一対の第２載置板３０Ｂは、複数のスペーサ３０Ｃ（図示では、２個）によって、一体化されることとなる。
【００２３】
しかして、このように構成される支持部材本体３０は、図２（ｂ）に示すように、胴体２０の上端に、第１載置板３０Ａが載置される。これにより、複数のスペーサ３０Ｃ（図示では、２個）が僅かながら胴体２０内に突入されることとなる。そして、その複数のスペーサ３０Ｃ（図示では、２個）に沿うように、液状物充填袋Ｆの上縁部Ｆａを、第１載置板３０Ａの開口部３０Ａａ及び一対の第２載置板３０Ｂの開口部３０Ｂａに通して、一対の第２載置板３０Ｂの外周縁部３０Ｂｂ、及び、第１載置板３０Ａの外周縁部３０Ａｂに接触させるようにする。これにより、支持部材本体３０によって、液状物充填袋Ｆの上縁部Ｆａが支持されることとなる。そして、液状物充填袋Ｆの上縁部Ｆａが接触されている一対の第２載置板３０Ｂの外周縁部３０Ｂｂを、図２（ｂ）に示すように、クランプバンド３１によってクランプする。これにより、支持部材本体３０によって、液状物充填袋Ｆの上縁部Ｆａが確実に支持されることとなる。
【００２４】
ところで、上記のように支持部材３が着脱自在に上部に配置されたドラム缶２は、図１に示すように、断面視矩形状の缶載置台１０に載置される。この缶載置台１０の上部１０ａ中央やや左寄りにベルトコンベア１１が設けられている。このベルトコンベア１１により、支持部材３が着脱自在に上部に配置されたドラム缶２は、図１に示す位置に搬送されてくることとなる。そして、このように、ベルトコンベア１１により搬送されてきた支持部材３が着脱自在に上部に配置されたドラム缶２は、缶載置台１０に設けられている位置決め機構４によって、所望位置に位置決めされることとなる。
【００２５】
＜位置決め機構の説明＞
位置決め機構４は、図１に示すように、側面視横長矩形状の支持板４０が缶載置台１０の下部１０ｂ側に設けられている。この支持板４０は、左右両側部に取付け固定されている複数の連結具４０ａ（図示では、２つ）が缶載置台１０の上部１０ａに取り付け固定されることによって、缶載置台１０の下部１０ｂ側に設けられることとなる。一方、図１に示すように、支持板４０の中央側には、側面視矩形状の一対のシリンダブラケット４１が取り付け固定されており、この一対のシリンダブラケット４１間に一対のエアーシリンダ４２（図３参照）が配置固定される。また一方、図１に示すように、支持板４０の左右両側側には、側面視略矩形状の固定具４０ｂが立設固定されており、この固定具４０ｂ間に、図１に示すようにスライド軸４３（図３も参照）が取付け固定される。そして、このスライド軸４３には、図１に示すように、一対の軸受４４を介して、一対の側面視Ｌ字状のスライド枠４５が取付け固定されている。そしてさらに、この一対のスライド枠４５の上部には、図１に示すように、それぞれ、ストッパ４５ａが取付け固定されている。このストッパ４５ａは、図３に示すように、底面視略凹状に形成されて、対向配置され、ドラム缶２の下端に位置する地板２１を左右両側から挟み込めるようになっている。なお、この一対の軸受４４には、図１（図３も参照）に示すように、ピストンロッド４２ａが取付け固定されている。
【００２６】
一方、一対の固定具４０ｂには、図１に示すように、それぞれ、スライド軸４３の下部に側面視矩形状の取付板４６が取付け固定されている。そして、これら取付板４６には、それぞれ、図３に示すように、ガイドプーリ４６ａが軸支されている。このガイドプーリ４６ａ間には、ドライブチェーン４７が巻回されている。そして、このドライブチェーン４７の側面には、スライド枠４５の下部（図１参照）に設けられているジョイントリンク４５ｂが連結されている。
【００２７】
しかして、このように構成される位置決め機構４は、次のように動作することとなる。すなわち、図１に示すように、支持部材３が着脱自在に上部に配置されたドラム缶２がベルトコンベア１１により搬送されてくると、図３に示すように、左側に位置するストッパ４５ａが実線位置から破線位置（矢印Ｙ１方向）に移動し、右側に位置するストッパ４５ａが実線位置から破線位置（矢印Ｙ２方向）に移動することによって、ドラム缶２の下端に位置する地板２１を左右両側から挟み込むこととなる。これにより、そのドラム缶２は、所望位置に位置決めされることとなる。
【００２８】
より詳しく説明すると、図３に示す左側に位置するエアーシリンダ４２によって、左側に位置するピストンロッド４２ａが右方向（矢印Ｙ１方向）に移動すると、ピストンロッド４２ａに固定されている左側に位置する軸受４４（図１参照）がスライド軸４３上を右方向（矢印Ｙ１方向）に移動することとなる。これにより、図３に示す左側に位置するスライド枠４５も右方向（矢印Ｙ１方向）に移動することとなるから、スライド枠４５の上部に取り付け固定されている左側に位置するストッパ４５ａが、実線位置から破線位置（矢印Ｙ１方向）に移動することとなる。
【００２９】
一方、図３に示す右側に位置するエアーシリンダ４２によって、右側に位置するピストンロッド４２ａが左方向（矢印Ｙ２方向）に移動すると、ピストンロッド４２ａに固定されている右側に位置する軸受４４（図１参照）がスライド軸４３上を左方向（矢印Ｙ２方向）に移動することとなる。これにより、図３に示す右側に位置するスライド枠４５も左方向（矢印Ｙ２方向）に移動することとなるから、スライド枠４５の上部に取り付け固定されている右側に位置するストッパ４５ａが、実線位置から破線位置（矢印Ｙ２方向）に移動することとなる。
【００３０】
しかして、このように移動する一対のストッパ４５ａによって、ドラム缶２の下端に位置する地板２１は、左右両側から挟み込まれることとなる。これにより、ドラム缶２は、所望位置に位置決めされることとなる。
【００３１】
ところで、何らかの要因で、一対のピストンロッド４２ａの動作速度が異なるものとなった際、ドラム缶２の下端に位置する地板２１を一対のストッパ４５ａによって同時に左右両側から挟み込むことができなくなり、もって、ドラム缶２を所望位置で位置決めできなくなる可能性がある。そこで本実施形態においては、ガイドプーリ４６ａ間に巻回されているドライブチェーン４７の側面に、スライド枠４５の下部（図１参照）に設けられているジョイントリンク４５ｂを連結することにより、一対のスライド枠４５がスライド軸４３に沿って移動する際、一対のピストンロッド４２ａの動作速度が異なるものとなったとしても、ドライブチェーン４７の作用によって、同ピッチで移動するようにしている。これにより、ドラム缶２の下端に位置する地板２１を一対のストッパ４５ａによって同時に左右両側から挟み込むことができることとなり、もって、ドラム缶２を所望位置で確実に位置決めすることができることとなる。
【００３２】
＜昇降機構の説明＞
昇降機構５は、図１に示すように、缶載置台１０の上部１０ａ右側に立設固定されている縦長矩形状の昇降ガイド枠５０を有している。この昇降ガイド枠５０内下部には、図１及び図４に示すように、サーボモータＭが設けられており、このサーボモータＭには、スクリュー軸５１が回転可能に取り付けられている。そして、このスクリュー軸５１の両側には、図４に示すように、一対のガイド軸５２が平行して垂直に配置されており、スクリュー軸５１、及び、一対のガイド軸５２を介して支持枠５３が昇降自在に取り付けられている。この支持枠５３は、図４に示すように、正面視矩形状に形成されており、中間部分には、スクリュー軸５１が螺挿されており、両側部分には、ガイド軸５２が挿通されている。そして、図１に示すように、昇降ガイド枠５０の外側に配置されている支持枠５３の上面５３ａには、吸引加水機構６が取付け固定されている。
【００３３】
かくして、このように構成される昇降機構５は、次のように動作することとなる。すなわち、サーボモータＭが回転駆動することによって、スクリュー軸５１が回転すると、一対のガイド軸５２に沿って、支持枠５３が図１及び図４に示すように、実線位置から破線位置に降下、破線位置から実線位置に上昇するという、上下動の動作（矢印Ｙ３参照）をすることとなる。これにより、支持枠５３の上面５３ａに取り付け固定されている吸引加水機構６も、図１に示すように、実線位置から破線位置に降下、破線位置から実線位置に上昇するという、上下動の動作（矢印Ｙ３参照）をすることとなる。
【００３４】
＜吸引加水機構の説明＞
吸引加水機構６は、図１及び図５（ａ），（ｂ）に示すように、縦長の垂直吸引管６０と、この垂直吸引管６０の外周に配置固定されている縦長の垂直供給管６１と、で主に構成されている。この垂直吸引管６０は、図１及び図５（ａ），（ｂ）に示すように、中空状に形成され、上部側側面より水平配管６０ａが外方に突出して一体的に設けられている。なお、この水平配管６０ａは、ロータリーポンプ等の吸引ポンプ（図示せず）に接続されている。
【００３５】
一方、垂直吸引管６０の上部には、図１及び図５（ｂ）に示すように、矩形状の固定枠部６０ｂが取付け固定されており、この固定枠部６０ｂの側面には、横長帯板状の固定板６０ｃが取付け固定されている。なお、この固定板６０ｃが、昇降ガイド枠５０の外側に配置されている支持枠５３の上面５３ａに取り付け固定されている。
【００３６】
また一方、固定枠部６０ｂの上部には、図１及び図５（ｂ）に示すように、エアーシリンダ６０ｄが取り付け固定されている。そして、図５（ａ），（ｂ）に示すように、エアーシリンダ６０ｄのピストンロッド６０ｄ１が接続部６０ｅを介して縦長棒状のロッド６０ｆと接続されている。このロッド６０ｆは、図１及び図５（ｂ）に示すように、垂直吸引管６０の内部に配置されており、垂直吸引管６０の上部から下部まで延設されている。そして、このロッド６０ｆの下部には、略三角形状の開閉弁６０ｇが取付け固定されている。しかるに、エアーシリンダ６０ｄによって、ピストンロッド６０ｄ１が下方向（図５（ａ）に示す矢印Ｙ４方向）に移動すると、接続部６０ｅを介してピストンロッド６０ｄ１に接続されているロッド６０ｆも下方向（図５（ａ）に示す矢印Ｙ４方向）に移動することとなる。そしてさらに、ロッド６０ｆの下部に取付け固定されている開閉弁６０ｇも、下方向（図５（ａ）に示す矢印Ｙ４方向）に移動することとなる。これにより、図５（ｃ）に示すように、垂直吸引管６０の下部に空間Ｓが形成されることとなる。しかして、吸引ポンプ（図示せず）を駆動することにより、液状物充填袋Ｆに充填されている液状物Ｌ１（図２（ｂ）参照）が、空間Ｓを通して、鉛直上向き（図５（ｃ）に示す矢印Ｙ５方向）に垂直吸引管６０内に吸引されることとなる。そして、垂直吸引管６０内に吸引された液状物Ｌ１（図２（ｂ）参照）は、水平配管６０ａより排出されることとなる。なお、図５（ｃ）に示す空間Ｓを開閉弁６０ｇにて閉止するには、エアーシリンダ６０ｄによって、ピストンロッド６０ｄ１を上方向（図５（ａ）に示す矢印Ｙ４方向と逆方向）に移動させるようにすれば良い。これにより、接続部６０ｅを介してピストンロッド６０ｄ１に接続されているロッド６０ｆも上方向（図５（ａ）に示す矢印Ｙ４方向と逆方向）に移動し、それに伴い、ロッド６０ｆの下部に取付け固定されている開閉弁６０ｇも、上方向（図５（ａ）に示す矢印Ｙ４方向と逆方向）に移動することとなるためである。これにより、図５（ｃ）に示す空間Ｓを開閉弁６０ｇにて閉止することができる。
【００３７】
他方、垂直供給管６１は、図１及び図５（ａ），（ｂ）に示すように、中空状に形成され、上部側側面より垂直配管６１ａが外方に突出して一体的に設けられている。なお、この垂直配管６１ａは、加水液が供給される供給ライン（図示せず）に接続されている。これにより、供給ライン（図示せず）より加水液が、垂直配管６１ａ内に供給され、垂直供給管６１内に鉛直下向き（図５（ａ）に示す矢印Ｙ４方向）に供給されることとなる。
【００３８】
一方、垂直供給管６１の下部には、斜め方向（図５（ａ）に示す矢印Ｙ６方向）に供給された加水液を噴射できる噴射孔６１ｂ１（図５（ｄ）参照）が形成されているノズル部６１ｂが形成されている。しかして、このノズル部６１ｂより斜め方向（図５（ａ）に示す矢印Ｙ６方向）に向かって噴射された加水液は、液状物充填袋Ｆの内周面を洗いながら、液状物Ｌ１に加水されることとなる。なお、この詳細は後述することとする。
【００３９】
かくして、上記のように構成される吸引加水機構６は、昇降ガイド枠５０の外側に配置されている支持枠５３の上面５３ａに固定板６０ｃが取付け固定されていることにより、支持枠５３の動きに合わせ、図１に示すように、実線位置から破線位置に降下、破線位置から実線位置に上昇するという、上下動の動作（矢印Ｙ３参照）をすることとなる。
【００４０】
＜持ち上げ機構の説明＞
持ち上げ機構７は、図１に示すように、缶載置台１０の上部１０ａ左右両側に立設固定されている一対の縦長矩形状の持ち上げガイド枠７０を有している。この持ち上げガイド枠７０内には、図１に示すように、それぞれ、エアーシリンダ７１が固定配置されており、このエアーシリンダ７１のピストンロッド７１ａには、側面視矩形状のスライド板７２が、それぞれ、取付け固定されている。そして、図１及び図６に示すように、このスライド板７２の一側面（ドラム缶２側）には、それぞれ、対向配置するように、側面視コ字状（図１参照）の軸受７３が２つ（図６参照）取付け固定され、この軸受７３には、それぞれ、対向配置するように、側面視Ｌ字状（図１参照）の持ち上げストッパ７４が取付け固定されている。これら持ち上げストッパ７４は、図６に示すように、それぞれ、一側面（スライド板７２側）に、軸受７５が取付けられており、この軸受７５には、ピストンロッド７６ａを介してエアーシリンダ７６が接続されている。
【００４１】
かくして、上記のように構成される持ち上げ機構７は、次のように動作することとなる。すなわち、図６に示すエアーシリンダ７６によって、ピストンロッド７６ａを伸張させると、持ち上げストッパ７４が軸受７３を基点として、実線位置から破線位置に旋回移動（図６に示す矢印Ｙ７参照）することとなる。この際、エアーシリンダ７６も、軸受７５を基点として、実線位置から破線位置に旋回移動（図６に示す矢印Ｙ８参照）することとなる。これにより、図６に示すように、支持部材３の外周面、すなわち、第１載置板３０Ａ及びクランプバンド３１の外周面が、複数の持ち上げストッパ７４（図示では、４個）によって、挟み込まれることとなる。
【００４２】
次いで、この状態で、図１に示すエアーシリンダ７１によって、ピストンロッド７１ａを伸張（図１に示す矢印Ｙ９参照）させると、スライド板７２が上方向（矢印Ｙ９参照）に移動することとなるから、持ち上げストッパ７４も上方向（矢印Ｙ９参照）に移動することとなる（実線位置から破線位置参照）。これにより、複数の持ち上げストッパ７４（図示では、４個）によって、外周面を挟み込まれている支持部材３も、上方向（矢印Ｙ９参照）に移動することとなる（実線位置から破線位置参照）。
【００４３】
しかして、このようにして、持ち上げ機構７は、支持部材３を持ち上げることとなる。なお、支持部材３を元の位置に戻す場合は、上記説明した手順と逆の手順をとるようにすれば良い。
【００４４】
＜液状物吸引装置の使用例＞
かくして、上記のように構成される液状物吸引装置１は、図７に示すように、使用され、液状物充填袋Ｆに充填されている液状物Ｌ１を吸引することとなる。この点、以下詳しく説明することとする。
【００４５】
まず、図７（ａ）に示す状態は、図１に示すベルトコンベア１１により搬送されてきた支持部材３が着脱自在に上部に配置されたドラム缶２が、缶載置台１０に設けられている位置決め機構４によって、所望位置に位置決めされた状態を示している。なお、このドラム缶２内には、液状物充填袋Ｆが収納されており、この液状物充填袋Ｆには、ケチャップ、濃縮ジュース等粘性の高い液状物Ｌ１が充填されている。
【００４６】
次いで、図７（ｂ）に示すように、図１に示す持ち上げ機構７にて、支持部材３を持ち上げる。この際、図２（ｂ）に示すように、支持部材３は、液状物充填袋Ｆの上縁部Ｆａを支持しているから、図７（ｂ）に示すように、支持部材３が持ち上げられれば、それに合わせて、液状物充填袋Ｆも持ち上げられることとなる。これにより、液状物充填袋Ｆの側周面がピンと張った状態（緊張状態）となる。
【００４７】
次いで、図７（ｃ）に示すように、昇降機構５（図１参照）によって、吸引加水機構６を所定位置まで降下させると、供給ライン（図示せず）より加水液が、図５に示す垂直配管６１ａ内に供給される。これにより、図５に示す垂直供給管６１内に鉛直下向き（図５（ａ）に示す矢印Ｙ４方向）に加水液が供給され、もって、図５に示すノズル部６１ｂより斜め方向（図７（ｃ）に示す矢印Ｙ６方向）に向かって、加水液が噴射されることとなる。しかして、噴射された加水液は、液状物充填袋Ｆの内周面に衝突することとなるため、液状物充填袋Ｆの内周面に衝突した加水液は、自重によって落下することとなる。これにより、加水液は、液状物充填袋Ｆの内周面を洗いながら、自重によって落下し、その落下した先の液状物Ｌ１に加水されることとなる。
【００４８】
かくして、このようにして、加水液を噴射させながら、昇降機構５（図１参照）によって、吸引加水機構６を、図７（ｄ）に示すように、ドラム缶２の底部まで降下させる。
【００４９】
次いで、図７（ｅ）に示すように、図１に示す持ち上げ機構７にて持ち上げ可能な最大高さまで、支持部材３をさらに持ち上げる。これにより、液状物充填袋Ｆの底面側もピンと張った状態（緊張状態）となる。しかして、この状態で、図５（ａ），（ｂ）に示す開閉弁６０ｇを下方向（図５（ａ）に示す矢印Ｙ４方向）に移動させ、図５（ｃ）に示すように、垂直吸引管６０の下部に空間Ｓを形成する。これにより、吸引ポンプ（図示せず）を駆動すると、液状物充填袋Ｆに充填されている加水された液状物Ｌ１が、空間Ｓ（図５（ｃ）参照）を通して、鉛直上向き（図５（ｃ）に示す矢印Ｙ５方向）に垂直吸引管６０内に吸引され、垂直吸引管６０内に吸引された、加水された液状物Ｌ１は、水平配管６０ａより排出される。
【００５０】
かくして、このようにして、加水された液状物Ｌ１が吸引されると、図５に示す垂直配管６１ａ内に供給されている加水液の供給を停止し、図５（ａ），（ｂ）に示す開閉弁６０ｇを上方向（図５（ａ）に示す矢印Ｙ４方向とは逆方向）に移動させ、図５（ｃ）に示す空間Ｓを閉止する。そしてさらに、図７（ｆ）に示すように、昇降機構５（図１参照）によって、吸引加水機構６を、図７（ａ）に示す位置まで上昇させ、さらに、持ち上げ機構７（図１参照）によって、支持部材３を、図７（ａ）に示す位置まで持ち下げ、ドラム缶２の上部に着脱自在に配置する。
【００５１】
かくして、このようにして、液状物充填袋Ｆに充填されている液状物Ｌ１は、液状物吸引装置１にて、吸引されることとなる。なお、各機構（位置決め機構４，昇降機構５，吸引加水機構６，持ち上げ機構７）は、図示しない制御装置によって制御されている。
【００５２】
しかして、以上説明した本実施形態によれば、液状物Ｌ１が充填されている液状物充填袋Ｆが収納されているドラム缶２の上方から、昇降機構５によって吸引加水機構６を降下させることによって挿入し、そして、その吸引加水機構６によって、液状物充填袋Ｆの内周面に対して加水液を噴射すると共に、その加水液によって加水された液状物Ｌ１を吸引するようにしている。これにより、液状物充填袋Ｆの内周面は、加水液によって洗い流され、その洗い流された加水液は、液状物Ｌ１に加水されることとなる。
【００５３】
しかして、本実施形態によれば、液状物充填袋Ｆの内周面に付着している液状物Ｌ１も吸引することができることとなるから、歩留まりを向上させることができる。
【００５４】
また、本実施形態によれば、吸引加水機構６は、加水液が鉛直下向きに供給される垂直供給管６１と、垂直供給管６１の内側に配置され、液状物Ｌ１を鉛直上向きに吸引する垂直吸引管６０と、を有する２重管の構成になっているから、非常に簡便な構成となっている。
【００５５】
さらに、本実施形態によれば、持ち上げ機構７によって、支持部材３が持ち上げられると、昇降機構５によって、吸引加水機構６を降下させ、その吸引加水機構６が、持ち上げ機構７によって、支持部材３が持ち上げられることによって共に持ち上げられる液状物充填袋Ｆの内周面に対して加水液を噴射すると共に、その加水液によって加水された液状物Ｌ１を吸引するようにしている。これにより、側周面がピンと張った状態（緊張状態）の液状物充填袋Ｆの内周面を加水液によって洗い流すこととなるから、液状物充填袋Ｆの内周面を洗い流し易くなり、もって、歩留まりをさらに向上させることができる。
【００５６】
ところで、吸引加水機構６を洗浄するにあたっては、図８に示すように、洗浄液供給部材８を、吸引加水機構６の下部に取付けるようにする。すなわち、洗浄液供給部材８は、図８に示すように、底面が閉止されている筒体８０と、この筒体８０の中間部側面より外方に突出して一体的に設けられている逆Ｌ字形の垂直配管８１と、で構成されている。この筒体８０は、図８に示すように、中空状に形成され、垂直供給管６１の下部から垂直吸引管６０の下部までを隠蔽することができるもので、筒体８０の上部側は、垂直供給管６１の下部に形成されているノズル部６１ｂにクランプバンド８０ａによって取付け固定されている。そして、この垂直配管８１は、洗浄液が供給される供給ライン（図示せず）に接続されている。
【００５７】
しかして、このようにして、洗浄液供給部材８を、吸引加水機構６の下部に取付けると、供給ライン（図示せず）より洗浄液が、垂直配管８１内に供給（図８に示す矢印Ｙ１０方向）される。そして、この状態で、図５（ａ），（ｂ）に示す開閉弁６０ｇを下方向（図５（ａ）に示す矢印Ｙ４方向）に移動させ、図５（ｃ）に示すように、垂直吸引管６０の下部に空間Ｓを形成する。そしてさらに、この状態で、吸引ポンプ（図示せず）を駆動すると、垂直配管８１内に供給（図８に示す矢印Ｙ１０方向）された洗浄液が、空間Ｓ（図５（ｃ）参照）を通して、鉛直上向き（図５（ｃ）に示す矢印Ｙ５方向）に垂直吸引管６０内に吸引され、垂直吸引管６０内に吸引された、洗浄液は、水平配管６０ａより排出されることとなる。
【００５８】
しかして、このようにすれば、ＣＩＰ洗浄が可能となる。
【００５９】
なお、本実施形態において示した液状物吸引装置１は、あくまで一例であり、特許請求の範囲に記載された本発明の要旨の範囲内において種々の変形・変更が可能である。例えば、本実施形態に示した、ドラム缶２、支持部材３、位置決め機構４、昇降機構５、吸引加水機構６、持ち上げ機構７の細部構成は、あくまで一例であり、種々設計変更可能である。
【符号の説明】
【００６０】
１          液状物吸引装置
２          ドラム缶
３          支持部材
４          位置決め機構
５          昇降機構（昇降手段）
６          吸引加水機構（吸引加水手段）
６０        垂直吸引管
６１        垂直供給管
７          持ち上げ機構（持ち上げ手段）
８          洗浄液供給部材
Ｌ１        液状物
Ｆ          液状物充填袋
【図１】
2020147317.tif 000003
【図２】
2020147317.tif 000004
【図３】
2020147317.tif 000005
【図４】
2020147317.tif 000006
【図５】
2020147317.tif 000007
【図６】
2020147317.tif 000008
【図７】
2020147317.tif 000009
【図８】
2020147317.tif 000010